(57)【要約】      （修正有）【課題】簡易に設置できて卓上の塗装作業のミスト等を排気でき、ファン保護のためのフィルターが不要な卓上用の塗装ブースを提供する。  【解決手段】排気用ファン２と作業用スペース１ａを含むブース１からなる塗装ブースであって、側面の１面３のみが開放された略直方体の箱状構造であり、上面４には排気用ファンの吸入口２ａが配設され、内部には排気の吸入口を構成するための略長方形状の傾斜板５が配設され、傾斜板は、開放側面に接続する２つの側面７ａ、７ｂに略長方形の対向する１組の２辺５ａ、５ｂを各々密着し配設され、他方の１組の２辺５ｃ、５ｄの内、第１の辺５ｃが、開放側面側から見てブースの手前側の上面及び開放側面から所定の隙間を有する位置に、第２の辺５ｄがブースの奥側の下面及び開放側面に対向する側面９から所定の隙間を有する位置に、各々配設されるように傾斜して設置されている。【選択図】図１
0003219665.tif 000002
【実用新案登録請求の範囲】
【請求項１】
排気用ファンと、
作業用スペースを含むブースからなる塗装ブースであって、
上記ブースは、側面の１面のみが開放された略直方体の箱状構造であり、
上記ブースの上面には上記排気用ファンの吸入口が配設され、
上記ブースの内部には排気の吸入口を構成するための略長方形状の傾斜板が配設されており、
上記傾斜板は、上記ブースの上記開放側面に接続する２つの側面に上記略長方形の対向する１組の２辺を各々密着させて配設され、
他方の１組の２辺の内、第１の辺が、上記開放側面側から見て、上記ブースの手前側の上面及び上記開放側面から所定の隙間を有する位置に、
第２の辺が、上記開放側面側から見て、上記ブースの奥側の下面及び上記開放側面に対向する側面から所定の隙間を有する位置に、各々配設されるように傾斜して設置されている、      
ことを特徴とする減圧式局所強制排気型塗装ブース。
【請求項２】
上記開放側面の上記上面に接続する部分には、上記傾斜板の上記第１の辺の高さ位置までを垂直に覆う遮蔽板が配設され、該遮蔽板の下端部は上記ブースの内側に向けて屈曲しており、
上記傾斜板の上記第１の辺は端部の所定寸法部分が屈曲しており、該屈曲部は上記ブースの上面と平行に配設され、上記傾斜板の上記第２の辺は端部の所定寸法部分が屈曲しており、該屈曲部は上記ブースの上記開放側面に対向する側面と平行に配設されていることを特徴とする、減圧式局所強制排気型塗装ブース。
【考案の詳細な説明】
【技術分野】
【０００１】
本考案は、減圧式局所強制排気型塗装ブースに関する。
【背景技術】
【０００２】
従来、塗装ブースといえばその規模は小さくとも部屋の一室程度の物であった。  
【０００３】
そのため、例えば模型の塗装を卓上で行う場合、生じるミスト等を排気するのに部屋の排気ファン等では性能が十分ではなく、排気用ファンとホース等により排気装置を自作する等の手間が必要な場合があった。
【０００４】
また、その広さが部屋の規模程度の通常の塗装ブースの場合でも、塗装ミストを排気するファンには湿ったミストが付着して機能低下を生じないようにファンの防護用のフィルターを設置する必要があり、設置スペースの確保や定期的な取り換えの手間がかかる等の問題があった。
特許文献１には空調機を小型化することにより空調コストを低減する塗装ブースの発明について記載されている。
【先行技術文献】
【特許文献】
【０００５】
【特許文献１】特開２０１６−０６７９９８号公報
【考案の概要】
【考案が解決しようとする課題】
【０００６】
しかしながら、特許文献１は通常の規模の塗装ブースにおける発明であって、卓上で塗装作業を行う場合に適した塗装ブースに応用することはできない。
【０００７】
本考案は上記問題点に鑑み、簡易に設置できて卓上の塗装作業のミスト等を排気でき、ファン保護のためのフィルターが不要な卓上用の塗装ブースを提供することを課題とする。  
【課題を解決するための手段】
【０００８】
上記課題を解決するために、請求項１の考案は、排気用ファンと、作業用スペースを含むブースからなる塗装ブースであって、ブースは、側面の１面のみが開放された略直方体の箱状構造であり、ブースの上面には排気用ファンの吸入口が配設され、ブースの内部には排気の吸入口を構成するための略長方形状の傾斜板が配設されており、傾斜板は、ブースの開放側面に接続する２つの側面に略長方形の対向する１組の２辺を各々密着させて配設され、他方の１組の２辺の内、第１の辺が、開放側面側から見て、ブースの手前側の上面及び開放側面から所定の隙間を有する位置に、第２の辺が、開放側面側から見て、ブースの奥側の下面及び開放側面に対向する側面から所定の隙間を有する位置に、各々配設されるように傾斜して設置されていることを特徴とする。
請求項２の考案はさらに、開放側面の上面に接続する部分には、傾斜板の第１の辺の高さ位置までを垂直に覆う遮蔽板が配設され、遮蔽板の下端部はブースの内側に向けて屈曲しており、傾斜板の第１の辺は端部の所定寸法部分が屈曲しており、屈曲部はブースの上面と平行に配設され、傾斜板の第２の辺は端部の所定寸法部分が屈曲しており、屈曲部はブースの開放側面に対向する側面と平行に配設されていることを特徴とする。
【考案の効果】
【０００９】
本考案により、塗装作業条件に応じた静圧、風速の設定が可能であって、簡易に卓上に設置でき、ファン保護のためのフィルターが不要な減圧式局所強制排気型塗装ブースが提供される。
【図面の簡単な説明】
【００１０】
【図１】本考案の第１の実施形態を示す斜視図である。
【図２】本考案の第１の実施形態を示す正面図である。
【図３】図２のＡ−Ａ断面図である。
【考案を実施するための形態】
【００１１】
以下、本考案の第１の実施形態について図を用いて説明する。まず本実施形態の構成について説明する。
【００１２】
図１に示すように、本実施形態の減圧式局所強制排気型塗装ブース１０は、排気用ファン２と、作業用スペース１ａを含むブース１からなる塗装ブースであって、ブース１は、側面の１面３のみが開放された略直方体の箱状構造であり、ブース１の上面４には排気用ファン２の吸入口２ａが配設され、ブース１の内部には排気の吸入口６ａ、６ｂを構成するための略長方形状の傾斜板５が配設されており、傾斜板５は、ブース１の開放側面３に接続する２つの側面７ａ、７ｂに略長方形の対向する１組の２辺５ａ、５ｂを各々密着させて配設され、他方の１組の２辺５ｃ、５ｄの内、第１の辺５ｃが、開放側面３側から見て、ブース１の手前側１ｂの上面４及び開放側面３から所定の隙間Ｇを有する位置に、第２の辺５ｄが、開放側面３側から見て、ブース１の奥側１ｃの下面８及び開放側面３に対向する側面９から所定の隙間Ｇを有する位置に、各々配設されるように傾斜して設置されている。
また、開放側面３の上面４に接続する部分には、傾斜板５の第１の辺５ｃの高さ位置までを垂直に覆う遮蔽板３ａが配設され、遮蔽板３ａの下端部３ｂはブース１の内側に向けて屈曲しており、傾斜板５の第１の辺５ｃは端部の所定寸法部分が屈曲しており、屈曲部５ｅはブースの上面４と平行に配設され、傾斜板５の第２の辺５ｄは端部の所定寸法部分が屈曲しており、屈曲部５ｆはブースの開放側面３に対向する側面９と平行に配設されている。
【００１３】
以上の構成により傾斜板５と上面４及び奥側の側面９によって囲まれた空間が生じる。この空間は排気用ファン２を稼働させた吸引状態の際は負圧になる空間であるため、以降はこの空間を減圧室１１と呼ぶこととする。
本実施形態では上面、側面、底面を構成する板材として亜鉛メッキ板０．８ｔ、上面の排気用ファン２用の吸入口２ａとして１５０φメスカラーを用い、所定の隙間Ｇを５０ｍｍとしている。
【００１４】
次に、本実施形態の機能について説明する。
図２に示すようにブース１の開放側面３側から見て手前側１ｂの上面４から所定の隙間Ｇを隔てた位置に傾斜板５の第１の辺５ｃの屈曲部５ｅが配設され、そこから傾斜板５はブース１の奥に向かって傾斜していって第２の辺５ｄの屈曲部５ｆが下面８及び側面９から所定の隙間Ｇを隔てた位置となるように配設されている。この吸入口６ａ、６ｂから塗装時のミスト等が排気用ファン２によって吸引される。この所定の隙間Ｇを調整することで塗装作業条件に応じた静圧、風速の設定が可能となる。
開放側面３の上面４に接続する部分には、傾斜板５の第１の辺５ｃの高さ位置までを垂直に覆う遮蔽板３ａが配設されていて遮蔽板３ａの下端部３ｂはブース１の内側に向けて屈曲しているが、これはブース１での塗装作業により舞い上がった溶剤のミスト等が上面４の下側をつたって手前からブース１の上部に漏れ出すのを防止して、残らず吸入口６ａより減圧部１１に吸引されるようにするためのものである。
【００１５】
ブース１の内部で塗装作業を行う際に生じるミスト等は吸入口６ａ、６ｂからまず減圧室１１に吸引される。このように排気用ファン２と吸引口６ａ、６ｂとの間に減圧室１１が配設されているため、吸引箇所が上下に分かれて広範囲に広がり、直接排気用ファン２の吸引口から行うよりもなめらかな吸引が実現できる。
【００１６】
また、減圧室では気圧が低いためミスト等に含まれる有機溶剤等が揮発しやすくなり、ミスト等はより乾燥した状態で排気用ファン２に吸引されることとなる。このため、排気用ファン２を湿ったミスト等の付着から保護するために通常用いられるフィルターは本実施形態の場合不要となり、装置のコンパクト化、価格低減が図れ、フィルター交換作業の手間も省略できる。  
【符号の説明】
【００１７】
１  ブース
１ａ  作業用スペース
１ｂ  手前側
１ｃ  奥側
２  排気用ファン
２ａ  吸入口
３  開放側面
３ａ  遮蔽板
３ｂ  下端部
４  上面
５  傾斜板
５ａ、５ｂ  辺
５ｃ  第１の辺
５ｄ  第２の辺
５ｅ、５ｆ  屈曲部
６ａ、６ｂ  吸入口
７ａ、７ｂ  側面
８  下面
９  対向側面
１０  減圧式局所強制排気型塗装ブース
１１  減圧室
【図１】
0003219665.tif 000003
【図２】
0003219665.tif 000004
【図３】
0003219665.tif 000005
【手続補正書】
【提出日】平成30年11月11日(2018.11.11)
【手続補正１】
【補正対象書類名】実用新案登録請求の範囲
【補正対象項目名】請求項２
【補正方法】変更
【補正の内容】
【請求項２】
上記開放側面の上記上面に接続する部分には、上記傾斜板の上記第１の辺の高さ位置までを垂直に覆う遮蔽板が配設され、該遮蔽板の下端部は上記ブースの内側に向けて屈曲しており、
上記傾斜板の上記第１の辺は端部の所定寸法部分が屈曲しており、該屈曲部は上記ブースの上面と平行に配設され、上記傾斜板の上記第２の辺は端部の所定寸法部分が屈曲しており、該屈曲部は上記ブースの上記開放側面に対向する側面と平行に配設されていることを特徴とする、請求項１に記載の減圧式局所強制排気型塗装ブース。